(57)【要約】【課題】ラベルの貼り替えが不要であり、記憶装置が録画装置に接続されていなくても、どのようなコンテンツが記憶装置に記録されているのかを特定することを可能とする録画システム、録画装置及び記憶装置を提供する。【解決手段】録画装置１０は、記憶装置２０の出力形式に合わせて、記憶装置識別情報を記憶装置２０に割当てる割当部（制御部１７）と、コンテンツ識別情報と記憶装置識別情報とを対応付ける対応情報を表示領域上に表示する表示制御部（制御部１７）とを備える。記憶装置２０は、録画装置１０によって割当てられた記憶装置識別情報を出力する出力部２３を備える。【選択図】図２
2013131267.tif 000002
【特許請求の範囲】
【請求項１】
コンテンツを記憶装置に記録する録画装置を備える録画システムであって、
前記録画装置は、前記記憶装置の出力形式に合わせて、前記記憶装置を識別する記憶装置識別情報を前記記憶装置に割当てる割当部と、前記記憶装置に記憶されたコンテンツを識別するコンテンツ識別情報と前記記憶装置識別情報とを対応付ける対応情報を表示領域上に表示する表示制御部とを備え、
前記記憶装置は、前記割当部によって割当てられた前記記憶装置識別情報を出力する出力部を備えることを特徴とする録画システム。
【請求項２】
前記出力部は、電子インクで表示される文字の形式で前記記憶装置識別情報を表示することを特徴とする請求項１に記載の録画システム。
【請求項３】
前記出力部は、セグメントディスプレイで表示される文字の形式で前記記憶装置識別情報を表示することを特徴とする請求項１に記載の録画システム。
【請求項４】
前記出力部は、ランプから出射される光の形式で前記記憶装置識別情報を表示することを特徴とする請求項１に記載の録画システム。
【請求項５】
前記出力部は、音の形式で前記記憶装置識別情報を出力することを特徴とする請求項１に記載の録画システム。
【請求項６】
コンテンツを記憶装置に記録する録画装置であって、
前記記憶装置の出力形式に合わせて、前記記憶装置を識別する記憶装置識別情報を前記記憶装置に割当てる割当部と、
前記記憶装置に記憶されたコンテンツを識別するコンテンツ識別情報と前記記憶装置識別情報とを対応付ける対応情報を表示領域上に表示する表示制御部とを備えることを特徴とする録画装置。
【請求項７】
録画装置によって記録されたコンテンツを記憶する記憶装置であって、
前記記憶装置の出力形式に合わせて前記録画装置によって割当てられており、前記記憶装置を識別する記憶装置識別情報を出力する出力部を備えることを特徴とする記憶装置。
【発明の詳細な説明】
【技術分野】
【０００１】
本発明は、コンテンツを記憶装置に記録する録画システム、録画システムで用いる録画装置、及び、録画システムで用いる記憶装置に関する。
【背景技術】
【０００２】
従来、放送局から放送されるコンテンツ（放送コンテンツなど）を記憶装置に記録する録画装置が知られている。記憶装置は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などである。記憶装置は、録画装置とは別体として設けられる。
【０００３】
ここで、コンテンツは、複数の記憶装置に記憶されることが想定される。記憶装置の外観は同様であるため、ユーザは、どのようなコンテンツが記憶装置に記憶されているのかを記憶装置の外観から特定することができない。
【０００４】
これに対して、例えば、パーソナルコンピュータやテレビなどの表示領域において、記憶装置に記憶されたコンテンツのリストを表示する技術（以下、第１技術）が提案されている（例えば、特許文献１）。或いは、ＤＶＤなどの記憶メディアに貼付されるラベル上に、記憶メディアに記憶されるコンテンツを識別する情報を印字する技術（第２技術）が提案されている（例えば、特許文献２）。
【先行技術文献】
【特許文献】
【０００５】
【特許文献１】特開２００７−１８０７１１号公報
【特許文献２】特開２００７−３１７３８２号公報
【発明の概要】
【発明が解決しようとする課題】
【０００６】
しかしながら、上述した第１技術では、ユーザは、どのようなコンテンツが記憶装置に記憶されているのかを記憶装置の外観から特定することができず、記憶装置を録画装置に接続する必要がある。上述した第２技術では、記憶装置に記憶されるコンテンツが書き換えられた場合に、ユーザは、ラベルを貼り替える必要がある。
【０００７】
そこで、本発明は、上述した課題を解決するためになされたものであり、ラベルの貼り替えが不要であり、記憶装置が録画装置に接続されていなくても、どのようなコンテンツが記憶装置に記憶されているのかを特定することを可能とする録画システム、録画装置及び記憶装置を提供することを目的とする。
【課題を解決するための手段】
【０００８】
第１の特徴に係る録画システムは、コンテンツを記憶装置に記録する録画装置を備える。前記録画装置は、前記記憶装置の出力形式に合わせて、前記記憶装置を識別する記憶装置識別情報を前記記憶装置に割当てる割当部と、前記記憶装置に記憶されたコンテンツを識別するコンテンツ識別情報と前記記憶装置識別情報とを対応付ける対応情報を表示領域上に表示する表示制御部とを備える。前記記憶装置は、前記割当部によって割当てられた前記記憶装置識別情報を出力する出力部を備える。
【０００９】
第１の特徴において、前記出力部は、電子インクで表示される文字の形式で前記記憶装置識別情報を表示する。
【００１０】
第１の特徴において、前記出力部は、セグメントディスプレイで表示される文字の形式で前記記憶装置識別情報を表示する。
【００１１】
第１の特徴において、前記出力部は、ランプから出射される光の形式で前記記憶装置識別情報を表示する。
【００１２】
第１の特徴において、前記出力部は、音の形式で前記記憶装置識別情報を出力する。
【００１３】
第２の特徴に係る録画装置は、コンテンツを記憶装置に記録する。録画装置は、前記記憶装置の出力形式に合わせて、前記記憶装置を識別する記憶装置識別情報を前記記憶装置に割当てる割当部と、前記記憶装置に記憶されたコンテンツを識別するコンテンツ識別情報と前記記憶装置識別情報とを対応付ける対応情報を表示領域上に表示する表示制御部とを備える。
【００１４】
第３の特徴に係る記憶装置は、録画装置によって記録されたコンテンツを記憶する。記憶装置は、前記記憶装置の出力形式に合わせて前記録画装置によって割当てられており、前記記憶装置を識別する記憶装置識別情報を出力する出力部を備える。
【発明の効果】
【００１５】
本発明によれば、ラベルの貼り替えが不要であり、記憶装置が録画装置に接続されていなくても、どのようなコンテンツが記憶装置に記憶されているのかを特定することを可能とする録画システム、録画装置及び記憶装置を提供することができる。
【図面の簡単な説明】
【００１６】
【図１】図１は、第１実施形態に係る録画システム１００を示す図である。
【図２】図２は、第１実施形態に係る録画装置１０を示すブロック図である。
【図３】図３は、第１実施形態に係る記憶装置２０を示すブロック図である。
【図４】図４は、第１実施形態に係る記憶装置識別情報の出力例を示す図である。
【図５】図５は、第１実施形態に係る対応情報の表示例を示す図である。
【図６】図６は、第１実施形態に係る録画システム１００の動作を示すシーケンス図である。
【図７】図７は、第１実施形態に係る録画システム１００の動作を示すシーケンス図である。
【図８】図８は、変更例１に係る記憶装置識別情報の出力例を示す図である。
【図９】図９は、変更例１に係る対応情報の表示例を示す図である。
【図１０】図１０は、変更例１に係る録画システム１００の動作を示すシーケンス図である。
【図１１】図１１は、変更例２に係る記憶装置識別情報の出力例を示す図である。
【図１２】図１２は、変更例２に係る対応情報の表示例を示す図である。
【発明を実施するための形態】
【００１７】
以下において、本発明の実施形態に係る録画システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る録画システムは、コンテンツを記憶装置に記録する録画装置を備える。前記録画装置は、前記記憶装置の出力形式に合わせて、前記記憶装置を識別する記憶装置識別情報を前記記憶装置に割当てる割当部と、前記記憶装置に記憶されたコンテンツを識別するコンテンツ識別情報と前記記憶装置識別情報とを対応付ける対応情報を表示領域上に表示する表示制御部とを備える。前記記憶装置は、前記割当部によって割当てられた前記記憶装置識別情報を出力する出力部を備える。
【００２０】
実施形態では、録画装置は、コンテンツ識別情報と記憶装置識別情報とを対応付ける対応情報を表示領域上に表示する。言い換えると、録画装置は、記憶装置が録画装置に接続されていなくても、記憶装置識別情報を含む対応情報を表示領域上に表示する。一方で、記憶装置は、録画装置によって割当てられた記憶装置識別情報を出力する。言い換えると、記憶装置は、記憶装置が録画装置に接続されていなくても、記憶装置識別情報を出力する。
【００２１】
従って、ユーザは、表示領域上に表示される記憶装置識別情報と記憶装置から出力される記憶装置識別情報とを見比べることによって、記憶装置が録画装置に接続されていなくても、どのようなコンテンツが記憶装置に記憶されているのかを特定することができる。
【００２２】
［第１実施形態］
（録画システム）
以下において、第１実施形態に係る録画システムについて説明する。図１は、第１実施形態に係る録画システム１００を示す図である。
【００２３】
図１に示すように、録画システム１００は、録画装置１０と、記憶装置２０と、表示装置３０とを有する。
【００２４】
録画装置１０は、各種コンテンツを受信する。例えば、録画装置１０は、ＴＶチューナを有しており、放送局から放送されるコンテンツ（放送コンテンツなど）を受信する。
【００２５】
ここで、録画装置１０は、ケーブル（ＵＳＢケーブルなど）を介して記憶装置２０と接続可能であり、コンテンツを記憶装置２０に記憶する機能を有する（録画機能）。また、録画装置１０は、ケーブル（ＡＶケーブル）を介して表示装置３０と接続可能であり、コンテンツを表示装置３０上で再生する機能を有する（再生機能）。
【００２６】
記憶装置２０は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などを有する。記憶装置２０は、録画装置１０と別体として設けられており、録画装置１０に対して着脱可能である。記憶装置２０は、録画装置１０によって受信されたコンテンツを記憶する。
【００２７】
表示装置３０は、パーソナルコンピュータ、表示パネル、テレビなどである。表示装置３０は、録画装置１０によって受信されたコンテンツを表示する表示領域を構成する。
【００２８】
（録画装置）
以下において、第１実施形態に係る録画装置について説明する。図２は、第１実施形態に係る録画装置１０を示すブロック図である。
【００２９】
図２に示すように、録画装置１０は、アンテナ１１と、チューナ部１２と、信号処理部１３と、エンコーダ１４と、インタフェース１５と、デコーダ１６と、制御部１７と、記憶部１８とを有する。
【００３０】
アンテナ１１は、放送局が放送する放送波を受信する。放送波は、例えば、デジタル放送波である。
【００３１】
チューナ部１２は、複数の周波数（チャンネル）の中から選択された周波数（チャネル）で搬送される放送信号を受信する。放送信号は、番組などのコンテンツ、コンテンツの属性情報などを含む。属性情報は、例えば、コンテンツのジャンル、コンテンツの放送日時、コンテンツに出演する出演者などである。
【００３２】
信号処理部１３は、チューナ部１２によって受信された放送信号を復調する。
【００３３】
エンコーダ１４は、放送信号を映像データ及び音声データに符号化する。エンコーダ１４は、例えば、所定の符号化方式（例えば、ＭＰＥＧ２又はＭＰＥＧ４）に従って映像データを符号化する。また、エンコーダ１４は、所定の符号化方式（例えば、ＡＡＣ）に従って音声データを符号化する。
【００３４】
インタフェース１５は、録画装置１０に接続される記憶装置２０に対するインタフェースである。インタフェース１５は、例えば、ＵＳＢ、ＩＥＥＥ１３９４又はＴｈｕｎｄｅｒｂｏｌｔ等のインタフェースである。また、インタフェース１５は、ＷＨＤＩ（Ｗｉｒｅｌｅｓｓ  Ｈｏｍｅ  Ｄｉｇｉｔａｌ  Ｉｎｔｅｒｆａｃｅ）やＷｉｒｅｌｅｓｓＨＤなどの無線インタフェースであってもよい。また、上記インタフェースによるケーブルにより記憶装置２０が録画装置１０へ接続されてもよいし、録画装置１０へ記憶装置２０を装着するためのコネクタ上のバスとして上記インタフェースが定義され、記憶装置２０が録画装置１０へカートリッジとして装着される態様であってもよい。インタフェースである。エンコーダ１４によって符号化されたデータ（符号化コンテンツデータ）は、インタフェース１５を介して記憶装置２０に記録される。
【００３５】
デコーダ１６は、記憶装置２０に記憶される符号化コンテンツデータを復号する。デコーダ１６は、例えば、所定の符号化方式（例えば、ＭＰＥＧ２又はＭＰＥＧ４）に従って映像データを復号する。また、エンコーダ１４は、所定の符号化方式（例えば、ＡＡＣ）に従って音声データを復号する。
【００３６】
制御部１７は、録画装置１０を制御する。第１に、制御部１７は、記憶装置２０の出力形式に合わせて、記憶装置２０を識別する記憶装置識別情報を記憶装置２０に割当てる割当部を構成する。具体的には、制御部１７は、記憶装置識別情報が割り当てられていない記憶装置２０が録画装置１０に接続された場合に、記憶装置識別情報を記憶装置２０に割当てる。
【００３７】
記憶装置識別情報は、記憶装置２０を識別可能な情報であればよい。記憶装置識別情報は、記憶装置２０を識別する数字であってもよく、記憶装置２０を識別する文字列であってもよい。或いは、記憶装置識別情報は、英字及び数字の組合せによって構成される制御コードであってもよい。このようなケースでは、例えば、英字がコンテンツのジャンルを示しており、数字がジャンルに属する記憶装置２０の通し番号を示している（例えば、「Ａ１（アニメの１台目）」、「Ｄ２（ドラマの２台目）」）。或いは、記憶装置識別情報は、記憶装置２０に記憶されるコンテンツのジャンルであってもよい。ここで、コンテンツのジャンルは英字に代えてジャンルをイメージさせるようなデザインで構成されてもよい。
【００３８】
第２に、制御部１７は、各種情報を表示装置３０上に表示する表示制御部を構成する。詳細には、制御部１７は、コンテンツ識別情報と記憶装置識別情報とを対応付ける対応情報を表示装置３０（表示領域）上に表示する。
【００３９】
コンテンツ識別情報は、記憶装置２０に記憶されたコンテンツを識別する情報である。コンテンツ識別情報は、例えば、記憶装置２０に記憶されたコンテンツの名称（例えば、番組名）である。コンテンツ識別情報は、記憶装置２０に記憶されたコンテンツの提供者（例えば、放送局）、記憶装置２０に記憶されたコンテンツの録画日を含んでいてもよい。コンテンツ識別情報は、記憶装置２０に記憶されたコンテンツのジャンル（例えば、ニュース、映画、アニメ、バラエティ）、記憶装置２０に記憶されたコンテンツの再生回数を含んでいてもよい。
【００４０】
なお、制御部１７は、記憶装置２０に記憶されたコンテンツを表示装置３０上に表示する機能を有する。また、制御部１７は、各種設定画面を表示装置３０上に表示する機能を有する。
【００４１】
記憶部１８は、各種情報を記憶する。例えば、記憶部１８は、コンテンツ識別情報と記憶装置識別情報とを対応付ける対応情報を記憶する。ここで、記憶部１８は、記憶装置２０が録画装置１０に接続されていなくても、対応情報を記憶することに留意すべきである。
【００４２】
（記憶装置）
以下において、第１実施形態に係る記憶装置について説明する。図３は、第１実施形態に係る記憶装置２０を示すブロック図である。
【００４３】
図３に示すように、記憶装置２０は、インタフェース２１と、記憶部２２と、出力部２３と、制御部２４とを有する。
【００４４】
インタフェース２１は、記憶装置２０が接続される録画装置１０に対するインタフェースである。インタフェース２１は、例えば、ＵＳＢ、ＩＥＥＥ１３９４又はＴｈｕｎｄｅｒｂｏｌｔ等のインタフェースである。また、インタフェース２１は、ＷＨＤＩ（Ｗｉｒｅｌｅｓｓ  Ｈｏｍｅ  Ｄｉｇｉｔａｌ  Ｉｎｔｅｒｆａｃｅ）やＷｉｒｅｌｅｓｓＨＤなどの無線インタフェースであってもよい。また、上記インタフェースによるケーブルにより録画装置１０が記憶装置２０へ接続されてもよいし、録画装置１０へ記憶装置２０を装着するためのコネクタ上のバスとして上記インタフェースが定義され、記憶装置２０が録画装置１０へカートリッジとして装着される態様であってもよい。インタフェースである。
【００４５】
記憶部２２は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）によって構成される。記憶部２２は、例えば、録画装置１０によって記録されるコンテンツ（符号化コンテンツデータ）を記憶する。
【００４６】
出力部２３は、録画装置１０によって割当てられた記憶装置識別情報を出力する。第１実施形態では、出力部２３は、電子ペーパによって構成されており、電子インクで表示される文字の形式で記憶装置識別情報を表示する。すなわち、記憶装置識別情報は、電子インクで表示される文字の形式に合わせて割り当てられる。
【００４７】
詳細には、電子ペーパとしては、既存の方式（マイクロカプセル方式、電子粉流体方式、液晶方式など）を用いることが可能である。電子ペーパに書き込まれたデータは、電子ペーパに電力が供給されていなくても保持されることに留意すべきである。
【００４８】
制御部２４は、記憶装置２０を制御する。具体的には、制御部２４は、録画装置１０によって割当てられた記憶装置識別情報の出力を出力部２３に指示する。第１実施形態では、出力部２３が電子ペーパによって構成される。従って、制御部２４は、出力部２３（電子ペーパ）に対する記憶装置識別情報の書き込みを制御する。すなわち、制御部２４は、出力部２３（電子ペーパ）に対する電圧の印加を制御する。
【００４９】
第１実施形態では、制御部２４は、記憶装置２０に格納されたコンテンツのコンテンツ識別情報を出力部２３（電子ペーパ）に書き込んでもよい。電子ペーパにデータを書き込むための電力は、例えば、録画装置１０から供給される（例えば、ＵＳＢ給電）。或いは、記憶装置２０は、電子ペーパにデータを書き込むための電力を蓄積するバッテリ（蓄電池又は太陽電池）を有していてもよい。
【００５０】
（記憶装置の確認例）
以下において、第１実施形態に係る記憶装置の確認例について説明する。図４は、第１実施形態に係る記憶装置２０から出力される情報を示す図である。図５は、第１実施形態に係る録画装置１０によって表示される情報（対応情報）を示す図である。
【００５１】
ここで、図４及び図５においては、記憶装置２０が録画装置１０に接続されている必要がないことに留意すべきである。
【００５２】
図４に示すように、記憶装置２０の出力部２３は、電子ペーパによって構成される。出力部２３は、電子インクで表示される文字の形式で記憶装置識別情報（図４では、「０１」）を表示する。ここで、出力部２３は、記憶装置２０に記憶されるコンテンツのジャンル（図４では、「ニュース」）を表示してもよい。或いは、出力部２３は、記憶装置２０に記憶されるコンテンツの番組名（図４では、「ａａａａａａａａ」）を表示してもよい。
【００５３】
図５に示すように、録画装置１０は、コンテンツ識別情報（図５では、「番組名」、「放送局」、「録画日」）と記憶装置識別情報（図５では、「録画先」）とを対応付ける対応情報（図５では、「録画一覧」）を表示領域（表示装置３０）上に表示する。図５に示すように、録画装置１０は、録画装置１０に接続された履歴が存在する複数の記憶装置２０に係る対応情報を表示領域（表示装置３０）上に表示する。
【００５４】
（録画システムの動作）
以下において、第１実施形態に係る録画システムの動作について説明する。図６は、第１実施形態に係るフォーマット動作について示すシーケンス図である。図７は、第１実施形態に係る録画動作について示すシーケンス図である。
【００５５】
第１に、第１実施形態に係るフォーマット動作について、図６を参照しながら説明する。
【００５６】
図６に示すように、ステップ１０において、記憶装置２０が録画装置１０に接続される。
【００５７】
ステップ１１において、録画装置１０は、フォーマット操作を受け付ける。フォーマット操作は、ユーザによって行われる。
【００５８】
ステップ１２において、録画装置１０は、記憶装置２０が過去に接続されたことがあるか否かを確認する。言い換えると、録画装置１０は、記憶装置２０に対して記憶装置識別情報を割り当て済みであるか否かを確認する。ここでは、記憶装置２０に対して記憶装置識別情報が割り当てられていないものとして説明を続ける。
【００５９】
ステップ１３において、録画装置１０は、記憶装置２０に対して、フォーマット指示を出力する。フォーマット指示は、記憶装置２０のフォーマットが録画装置１０に適合するか否かを問い合わせる情報である。
【００６０】
ステップ１４において、記憶装置２０は、録画装置１０に対して、フォーマット応答を出力する。フォーマット応答は、記憶装置２０のフォーマットが録画装置１０に適合するか否かを示す情報である。ここでは、記憶装置２０のフォーマットが録画装置１０に適合しているものとして説明を続ける。
【００６１】
ステップ１５において、録画装置１０は、記憶装置２０を識別する記憶装置識別情報を割り当てる。
【００６２】
ステップ１６において、録画装置１０は、記憶装置２０に対して、ステップ１５で割り当てられた記憶装置識別情報を出力する。
【００６３】
ステップ１７において、録画装置１０は、ステップ１５で割り当てられた記憶装置識別情報を記憶部１８に記憶する。
【００６４】
ステップ１８において、記憶装置２０は、ステップ１５で割り当てられた記憶装置識別情報を出力部２３（電子ペーパ）に書き込む。
【００６５】
第２に、第１実施形態に係る録画動作について、図７を参照しながら説明する。
【００６６】
図７に示すように、ステップ２０において、録画装置１０は、放送局から放送されるコンテンツの録画開始コマンドを受け付ける。
【００６７】
ステップ２１において、録画装置１０は、記憶装置２０に対して、録画開始指示を出力する。
【００６８】
ステップ２２において、記憶装置２０は、録画装置１０に対して、録画開始応答を出力する。録画開始応答は、記憶装置２０の空き容量、記憶装置２０のＭＡＣアドレスなどを含む。
【００６９】
ステップ２３において、記憶装置２０は、録画装置１０に対して、放送局から放送されるコンテンツ（符号化コンテンツ）を出力する。
【００７０】
ステップ２４において、録画装置１０は、放送局から放送されるコンテンツの録画終了コマンドを受け付ける。
【００７１】
ステップ２５において、録画装置１０は、記憶装置２０に対して、録画終了指示を出力する。
【００７２】
ステップ２６において、記憶装置２０は、録画装置１０に対して、録画終了応答を出力する。
【００７３】
ステップ２７において、録画装置１０は、記憶装置２０に格納されたコンテンツのコンテンツ識別情報を記憶部１８に記憶する。
【００７４】
ステップ２８において、記憶装置２０は、記憶装置２０に格納されたコンテンツのコンテンツ識別情報を出力部２３（電子ペーパ）に書き込む。
【００７５】
（作用及び効果）
第1実施形態では、録画装置１０は、コンテンツ識別情報と記憶装置識別情報とを対応付ける対応情報を表示領域上に表示する。言い換えると、録画装置１０は、記憶装置２０が録画装置１０に接続されていなくても、記憶装置識別情報を含む対応情報を表示領域上に表示する。一方で、記憶装置２０は、録画装置１０によって割当てられた記憶装置識別情報を出力する。言い換えると、記憶装置２０は、記憶装置２０が録画装置１０に接続されていなくても、記憶装置識別情報を出力する。
【００７６】
従って、ユーザは、表示領域上に表示される記憶装置識別情報と記憶装置２０から出力される記憶装置識別情報とを見比べることによって、記憶装置２０が録画装置１０に接続されていなくても、どのようなコンテンツが記憶装置２０に記憶されているのかを特定することができる。
【００７７】
[変更例１]
以下において、第１実施形態の変更例について説明する。以下においては、第１実施形態に対する相違点について主として説明する。
【００７８】
第１実施形態では、出力部２３は、電子ペーパによって構成される。これに対して、変更例１では、出力部２３は、セグメントディスプレイによって構成される。
【００７９】
（記憶装置の確認例）
以下において、変更例１に係る記憶装置の確認例について説明する。図８は、変更例１に係る記憶装置２０から出力される情報を示す図である。図９は、変更例１に係る録画装置１０によって表示される情報（対応情報）を示す図である。
【００８０】
ここで、図８及び図９においては、記憶装置２０が録画装置１０に接続されている必要がないことに留意すべきである。
【００８１】
図８に示すように、記憶装置２０の出力部２３は、セグメントディスプレイによって構成される。出力部２３は、セグメントディスプレイで表示される文字の形式で記憶装置識別情報を表示する。なお、記憶装置識別情報は、セグメントディスプレイで表示される文字の形式に合わせて録画装置１０によって割り当てられる。
【００８２】
変更例１において、出力部２３は、ユーザ操作に応じて、記憶装置識別情報を表示する。ユーザ操作は、例えば、記憶装置２０に設けられるボタンの押下である。なお、セグメントディスプレイの電源は、例えば、記憶装置２０に設けられるバッテリ（蓄電池又は太陽電池）である。
【００８３】
図９に示すように、録画装置１０は、コンテンツ識別情報（図９では、「番組名」、「放送局」、「録画日」）と記憶装置識別情報（図９では、「録画先」）とを対応付ける対応情報（図９では、「録画一覧」）を表示領域（表示装置３０）上に表示する。図９に示すように、録画装置１０は、録画装置１０に接続された履歴が存在する複数の記憶装置２０に係る対応情報を表示領域（表示装置３０）上に表示する。
【００８４】
（録画システムの動作）
以下において、変更例１に係る録画システムの動作について説明する。図１０は、変更例１に係るフォーマット動作について示すシーケンス図である。
【００８５】
なお、図１０は、図６に示す処理が既に行われていることを前提としている。すなわち、ステップ１６において、録画装置１０によって割り当てられた記憶装置識別情報が録画装置１０から記憶装置２０に対して出力されている。また、ステップ１７において、記憶装置２０に割り当てられた記憶装置識別情報が録画装置１０に記憶されている。変更例１では、出力部２３がセグメントディスプレイによって構成されているため、記憶装置識別情報を電子ペーパに書き込む処理（ステップ１８）は不要である。
【００８６】
図１０に示すように、ステップ３０において、記憶装置２０は、ユーザ操作（例えば、記憶装置２０に設けられるボタンの押下）を検出する。
【００８７】
ステップ３１において、記憶装置２０は、録画装置１０によって割り当てられた記憶装置識別情報を出力部２３（セグメントディスプレイ）から出力する。
【００８８】
[変更例２]
以下において、第１実施形態の変更例について説明する。以下においては、第１実施形態に対する相違点について主として説明する。
【００８９】
第１実施形態では、出力部２３は、電子ペーパによって構成される。これに対して、変更例２では、出力部２３は、ＬＥＤ（Ｌｉｇｈｔ  Ｅｍｉｔｔｉｎｇ  Ｄｉｏｄｅ）などのランプによって構成される。
【００９０】
（記憶装置の確認例）
以下において、変更例２に係る記憶装置の確認例について説明する。図１１は、変更例２に係る記憶装置２０から出力される情報を示す図である。図１２は、変更例２に係る録画装置１０によって表示される情報（対応情報）を示す図である。
【００９１】
ここで、図１１及び図１２においては、記憶装置２０が録画装置１０に接続されている必要がないことに留意すべきである。
【００９２】
図１１に示すように、記憶装置２０の出力部２３は、ランプによって構成される。出力部２３は、ランプから出射される光の形式で記憶装置識別情報を表示する。なお、記憶装置識別情報は、ランプから出射される光の形式に合わせて録画装置１０によって割り当てられる。
【００９３】
ここで、記憶装置識別情報は、ランプから出射される光の色によって記憶装置２０を識別してもよい。記憶装置識別情報は、複数のランプから出射される光の色の組合せによって記憶装置２０を識別してもよい。記憶装置識別情報は、ランプから出射される光の点滅回数によって記憶装置２０を識別してもよい。
【００９４】
変更例２において、出力部２３は、ユーザ操作に応じて、記憶装置識別情報を表示する。ユーザ操作は、例えば、記憶装置２０に設けられるボタンの押下である。なお、ランプの電源は、例えば、記憶装置２０に設けられるバッテリ（蓄電池又は太陽電池）である。
【００９５】
図１２に示すように、録画装置１０は、コンテンツ識別情報（図１２では、「番組名」、「放送局」、「録画日」）と記憶装置識別情報（図１２では、「録画先」）とを対応付ける対応情報（図１２では、「録画一覧」）を表示領域（表示装置３０）上に表示する。図５に示すように、録画装置１０は、録画装置１０に接続された履歴が存在する複数の記憶装置２０に係る対応情報を表示領域（表示装置３０）上に表示する。
【００９６】
[変更例３]
以下において、第１実施形態の変更例について説明する。以下においては、第１実施形態に対する相違点について主として説明する。
【００９７】
第１実施形態では、出力部２３は、電子ペーパによって構成される。これに対して、変更例３では、出力部２３は、スピーカによって構成される。変更例３では、出力部２３は、音の形式で記憶装置識別情報を出力する。記憶装置識別情報は、メロディーなどの音色によって記憶装置２０を識別してもよい。記憶装置識別情報は、記憶装置２０に格納されるコンテンツのジャンル及びジャンルに属する記憶装置２０の通し番号を読み上げる音声であってもよい。記憶装置識別情報は、記憶装置２０に格納されるコンテンツのタイトルを読み上げる音声であってもよい。
【００９８】
変更例３において、出力部２３は、ユーザ操作に応じて、記憶装置識別情報を出力する。ユーザ操作は、例えば、記憶装置２０に設けられるボタンの押下である。なお、スピーカの電源は、例えば、記憶装置２０に設けられるバッテリ（蓄電池又は太陽電池）である。
【００９９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１００】
実施形態では、録画装置１０は、放送局から放送されたコンテンツを記憶装置２０に記録する。しかしながら、実施形態は、これに限定されるものではない。例えば、録画装置１０は、インターネットを介してダウンロードされたコンテンツを記憶装置２０に記録してもよい。録画装置１０は、録画装置１０に記憶されたコンテンツを記憶装置２０に記録してもよい。例えば、録画装置１０は、パーソナルコンピュータであってもよい。
【符号の説明】
【０１０１】
１０…録画装置、１１…アンテナ、１２…チューナ部、１３…信号処理部、１４…エンコーダ、１５…インタフェース、１６…デコーダ、１７…制御部、１８…記憶部、２０…記憶装置、２１…インタフェース、２２…記憶部、２３…出力部、２４…制御部、３０…表示装置、１００…記録システム
【図１】
2013131267.tif 000003
【図２】
2013131267.tif 000004
【図３】
2013131267.tif 000005
【図４】
2013131267.tif 000006
【図５】
2013131267.tif 000007
【図６】
2013131267.tif 000008
【図７】
2013131267.tif 000009
【図８】
2013131267.tif 000010
【図９】
2013131267.tif 000011
【図１０】
2013131267.tif 000012
【図１１】
2013131267.tif 000013
【図１２】
2013131267.tif 000014